(57)【要約】      （修正有）【課題】利便性の高い屑入れ組立シートを提供する。【解決手段】屑入れ組立シート１の基材３１に、組立時に容器状の屑入れ本体に形成される屑入れ本体構成部を設け、本体構成部を、組立時に丸められる本体側面構成部３３と、底面を形成する底面構成部３４で構成する。基材３１に組立時に丸められる蓋体側面構成部４２と天面構成部４３を設ける。本体側面構成部３３を丸め、本体舌片７１を本体舌片差込溝７２に差し込んで本体側面を形成し、底面構成部３４の底面舌片８１を本体側面構成部３３の底面舌片差込溝８２に差し込んで有底円筒状の屑入れ本体を形成する。【選択図】図１
0003147028.tif 000002
【実用新案登録請求の範囲】
【請求項１】
組立時に容器状の屑入れ本体に形成される屑入れ本体構成部がシート状の基材に切り離し可能に設けられたことを特徴とする屑入れ組立シート。
【請求項２】
前記屑入れ本体構成部を、組立時に丸められ前記屑入れ本体の側面を形成する横長形状の本体側面構成部と、前記屑入れ本体の底面を形成する円形状の底面構成部とで構成し、
前記本体側面構成部の一側部に側方に延出する本体舌片を設け、当該本体側面構成部の他側部に前記本体舌片が差し込まれる本体舌片差込溝を形成するとともに、前記底面構成部の周縁に外側へ延出する底面舌片を設け、前記本体側面構成部の下縁部に前記底面舌片が差し込まれる底面舌片差込溝を形成したことを特徴とする請求項１記載の屑入れ組立シート。
【請求項３】
前記屑入れ本体の開口部を閉鎖する為の蓋体を構成する蓋体構成部を前記基材に切り離し可能に設けたことを特徴とする請求項１又は２記載の屑入れ組立シート。
【請求項４】
前記蓋体構成部を、組立時に丸められ前記蓋体の側面を形成する横長形状の蓋体側面構成部と、前記蓋体の天面を形成する円形状の天面構成部とで構成し、
前記蓋体側面構成部の一側部に側方へ延出する蓋体舌片を設け、当該蓋体側面構成部の他側部に前記蓋体舌片が差し込まれる蓋体舌片差込溝を形成するとともに、前記天面構成部の周縁に外側へ延出する天面舌片を設け、前記蓋体側面構成部の上縁部に前記天面舌片が差し込まれる天面舌片差込溝を形成したことを特徴とする請求項３記載の屑入れ組立シート。
【請求項５】
前記屑入れ本体構成部の外側面にロゴマークを設けたことを特徴とする請求項１から４にいずれか記載の屑入れ組立シート。
【考案の詳細な説明】
【技術分野】
【０００１】
本考案は、屑入れを形成することができる屑入れ組立シートに関する。
【背景技術】
【０００２】
従来、ドライブ中に車内でゴミが発生することがある。
【０００３】
この場合、車両に設けられた灰皿にゴミを入れておき、休憩時にサービスエリア等で捨てていた。
【考案の開示】
【考案が解決しようとする課題】
【０００４】
しかしながら、このような従来にあっては、ゴミを収容している間は灰皿を使用することができないという問題があった。
【０００５】
そこで、ゴミ箱を車室内に設置して方法が考えられるが、この場合、未使用時には邪魔になる。
【０００６】
また、ゴミ箱に貯まったゴミを廃棄する際には、休憩時において、サービスエリア等に設置されたゴミ入れに、車室内のゴミ箱を持って行きゴミを廃棄した後、車両に持ち帰らなければならず、不便であった。
【０００７】
本発明は、このような従来の課題に鑑みてなされたものであり、利便性の高い屑入れ組立シートを提供することを目的とするものである。
【課題を解決するための手段】
【０００８】
前記課題を解決するために本考案の請求項１の屑入れ組立シートにあっては、組立時に容器状の屑入れ本体に形成される屑入れ本体構成部がシート状の基材に切り離し可能に設けられている。
【０００９】
すなわち、屑入れを使用する際には、シート状の基材から屑入れ本体構成部を切り離した後に、当該屑入れ本体構成部を、立体形状に組み立てる。すると、容器状の屑入れ本体が形成される。
【００１０】
また、請求項２の屑入れ組立シートにおいては、前記屑入れ本体構成部を、組立時に丸められ前記屑入れ本体の側面を形成する横長形状の本体側面構成部と、前記屑入れ本体の底面を形成する円形状の底面構成部とで構成し、前記本体側面構成部の一側部に側方に延出する本体舌片を設け、当該本体側面構成部の他側部に前記本体舌片が差し込まれる本体舌片差込溝を形成するとともに、前記底面構成部の周縁に外側へ延出する底面舌片を設け、前記本体側面構成部の下縁部に前記底面舌片が差し込まれる底面舌片差込溝を形成した。
【００１１】
すなわち、前記屑入れ本体構成部は、前記屑入れ本体の側面を形成する横長形状の本体側面構成部と、前記屑入れ本体の底面を形成する円形状の底面構成部とで構成されており、前記本体側面構成部の一側部には、本体舌片が設けられるとともに、当該本体側面構成部の他側部には、本体舌片差込溝が形成されている。また、前記底面構成部の周縁には、底面舌片が設けられており、前記本体側面構成部の下縁部には、底面舌片差込溝が形成されている。
【００１２】
このため、横長形状の本体側面構成部を丸めて、その一側部に設けられた前記本体舌片を他側部に前記本体舌片差込溝に差し込むことによって円筒状の側面が形成される。また、円形状に形成された前記底面構成部の底面舌片を、前記本体側面構成部の下縁部に設けられた底面舌片差込溝に差し込むことによって、円筒状に形成された前記側面に底面を形成することがで、有底円筒状の屑入れ本体が形成される。
【００１３】
このように、前記本体側面構成部を丸めて前記前記底面構成部を取り付けることによって容器状の屑入れ本体を形成することができるため、屑入れ本体構成部の複数箇所を折り曲げ接合して矩形状の屑入れ本体を形成する場合と比較して、組立作業が容易に行われる。
【００１４】
さらに、請求項３の屑入れ組立シートでは、前記屑入れ本体の開口部を閉鎖する為の蓋体を構成する蓋体構成部を前記基材に切り離し可能に設けた。
【００１５】
これにより、組み立てられた屑入れ本体の開口部を、蓋体によって閉鎖することができ、収容されたゴミの露出が防止される。
【００１６】
加えて、請求項４の屑入れ組立シートにあっては、前記蓋体構成部を、組立時に丸められ前記蓋体の側面を形成する横長形状の蓋体側面構成部と、前記蓋体の天面を形成する円形状の天面構成部とで構成し、前記蓋体側面構成部の一側部に側方へ延出する蓋体舌片を設け、当該蓋体側面構成部の他側部に前記蓋体舌片が差し込まれる蓋体舌片差込溝を形成するとともに、前記天面構成部の周縁に外側へ延出する天面舌片を設け、前記蓋体側面構成部の上縁部に前記天面舌片が差し込まれる天面舌片差込溝を形成した。
【００１７】
すなわち、前記蓋体構成部は、前記蓋体の側面を形成する横長形状の蓋体側面構成部と、前記蓋体の天面を形成する円形状の天面構成部とで構成されており、前記蓋体側面構成部の一側部には蓋体舌片が設けられるとともに、当該蓋体側面構成部の他側部には蓋体舌片差込溝が形成されている。また、前記天面構成部の周縁には、天面舌片が設けられており、前記蓋体側面構成部の上縁部には、天面舌片差込溝が形成されている。
【００１８】
このため、前記蓋体側面構成部を丸めて、その一側部に設けられた蓋体舌片を、他側部に蓋体舌片差込溝に差し込むことによって、円筒状の蓋体側面が形成される。また、円形状に形成された前記天面構成部の前記天面舌片を、前記蓋体側面構成部の上縁部に形成された前記天面舌片差込溝に差し込むことによって、天面を備えた蓋体が形成される。
【００１９】
このように、前記蓋体側面構成部を丸めて前記天面構成部を取り付けることによって天面を備えた蓋体を形成することができるため、蓋体構成部の複数箇所を折り曲げ接合して矩形容器状の蓋体を形成する場合と比較して、組立作業が容易に行われる。
【００２０】
そして、前記蓋体は、その側面を前記屑入れ本体の上縁部に嵌着することもできる。
【００２１】
また、請求項５の屑入れ組立シートにおいては、前記屑入れ本体構成部の外側面にロゴマークを設けた。
【００２２】
すなわち、前記屑入れ本体構成部の外側面には、ロゴマークが設けられており、組み立てられた屑入れ本体の外側面には、前記ロゴマークが表示される。
【考案の効果】
【００２３】
以上説明したように、本考案の請求項１の屑入れ組立シートにあっては、シート状の基材から屑入れ本体構成部を切り離し、当該屑入れ本体構成部を、立体形状に組み立てることによって、容器状の屑入れ本体を形成することができる。
【００２４】
このため、未使用時には、シート状のまま保管できるため、保管時の省スペース化を図ることができるとともに、ゴミ箱を車内に設置する場合と比較して、未使用時に邪魔になるといった問題を解消することができる。
【００２５】
一方、使用時には、前記基材から切り離した前記屑入れ本体構成部を立体形状に組み立てることによって、容器状の屑入れ本体が形成されるため、この屑入れ本体に、ゴミを収容することができる。
【００２６】
このため、灰皿にゴミを収容していた従来と比較して、灰皿の使用が可能となり、利便性が向上する。
【００２７】
そして、前記屑入れ本体にゴミが貯まった際には、当該屑入れ本体をゴミと共に廃棄することもできる。このため、灰皿やゴミ箱にゴミを収容する場合のように、灰皿やゴミ箱のゴミを、サービスエリア等に設置されたゴミ入れまで持って行って捨てた後、前記灰皿やゴミ箱を車内に持ち帰らなければならなかった従来と比較して、利便性が向上する。
【００２８】
また、請求項２の屑入れ組立シートにおいては、前記本体側面構成部を丸めて前記底面構成部を取り付けるだけで、円筒容器状の屑入れ本体を形成することができるため、屑入れ本体構成部の複数箇所を折り曲げ接合して矩形状の屑入れ本体を形成する場合と比較して、屑入れ本体の組立作業を容易に行うことができる。
【００２９】
このとき、組み立てられた屑入れ本体の直径寸法を、車両に設けられているカップホルダーに収まるサイズに設定しておけば、このカップホルダーに保持した状態で使用することができ、不用意な転倒によるゴミの撒き散らしを確実に防止することができる。
【００３０】
さらに、請求項３の屑入れ組立シートでは、組み立てられた屑入れ本体の開口部を、蓋体によって閉鎖することができるため、収容されたゴミを隠すことができる。
【００３１】
これにより、見た目を綺麗に保つことができる。
【００３２】
加えて、請求項４の屑入れ組立シートにあっては、前記蓋体側面構成部を丸めて前記天面構成部を取り付けることによって、天面を備えた蓋体を形成することができる。このため、前記蓋体構成部の複数箇所を折り曲げ接合して矩形容器状の蓋体を形成する場合と比較して、組立作業を容易に行うことができる。
【００３３】
そして、前記蓋体は、円筒状の側面を備えるため、当該蓋体を前記屑入れ本体の上縁部に嵌着することができる。これにより、前記屑入れ本体の開口部を確実に閉鎖することができる。
【００３４】
また、請求項５の屑入れ組立シートにおいては、前記屑入れ本体構成部の外側面にロゴマークが設けられているので、組み立てられた屑入れ本体の外側面に、前記ロゴマークを表示することができる。
【００３５】
このため、前記ロゴマークを会社名や商品名とすることによって、当該屑入れ組立シートを販促品として利用することができる。
【考案を実施するための最良の形態】
【００３６】
以下、本考案の一実施の形態を図に従って説明する。
【００３７】
図１は、本実施の形態にかかる屑入れ組立シート１を示す図であり、図２は、該屑入れ組立シート１から組み立てられた屑入れ２を示す図である。
【００３８】
すなわち、この屑入れ２は、容器状に形成された屑入れ本体１１と、該屑入れ本体１１の上縁部に嵌着され上部開口部１２を閉鎖する蓋体１３とによって構成されている。前記屑入れ本体１１は、円筒状の周面を形成する本体側面１４と、底部を構成する底面１５とによって有底円筒状に形成されており、その直径寸法は、車両に設けられているカップホルダーに収まるサイズに設定されている。
【００３９】
前記蓋体１３は、円筒状の周面を構成する蓋体側面２１と、天部を構成する天面２２とからなり、下方へ向けて開口した容器状に形成されている。前記蓋体１３の直径寸法は、前記屑入れ本体１１の直径よりやや大きめに設定されており、当該蓋体１３を前記屑入れ本体１１の上端部に外嵌できるように構成されている。
【００４０】
一方、図１に示したように、前記屑入れ組立シート１の基材３１は、長方形状のクラフト紙で構成されており、雑誌などに折り込んで拡販できるように構成されている。
【００４１】
この基材３１には、図２にも示したように、組立時に容器状の前記屑入れ本体１１に形成される屑入れ本体構成部３２が設けられており、該屑入れ本体構成部３２は、組立時に丸められ前記屑入れ本体１１の前記本体側面１４を形成する横長形状である長方形状の本体側面構成部３３と、前記屑入れ本体１１の前記底面１５を形成する円形状の底面構成部３４とによって構成されている。
【００４２】
また、前記基材３１には、組立時に前記蓋体１３に形成される蓋体構成部４１が設けられており、該蓋体構成部４１は、組立時に丸められ前記蓋体側面２１を形成する横長形状である長方形状の蓋体側面構成部４２と、前記蓋体１３の前記天面２２を形成する円形状の天面構成部４３とによって構成されている。
【００４３】
前記屑入れ本体構成部３２を構成する前記本体側面構成部３３は、図１に示したように、前記基材３１に横長形状である長方形状に印刷されており、該本体側面構成部３３の外周部には、破線状に切断された切り込み線５１が周縁に沿って形成されている。これにより、前記屑入れ本体構成部３２を構成する前記本体側面構成部３３は、前記切り込み線５１に沿って容易に切断できるように構成されており、シート状の前記基材３１に切り離し可能に設けられている。
【００４４】
また、前記屑入れ本体構成部３２を構成する前記底面構成部３４は、前記基材３１に円形状の印刷されており、該底面構成部３４の外周部には、破線状に切断された切り込み線６１が周縁に沿って形成されている。これにより、前記屑入れ本体構成部３２を構成する前記底面構成部３４は、前記切り込み線６１に沿って容易に切断できるように構成されており、シート状の前記基材３１に切り離し可能に設けられている。
【００４５】
前記本体側面構成部３３の図中左側部には、側方に延出する矩形状の本体舌片７１，・・・が三ヶ所に設けられており、当該本体側面構成部３３の図中右側部には、前記各本体舌片７１，・・・が差し込まれる縦長スリット状の本体舌片差込溝７２，・・・が前記各本体舌片７１，・・・に対応した三ヶ所に形成されている。
【００４６】
また、前記底面構成部３４の周縁には、外側へ延出する矩形状の底面舌片８１，・・・が等間隔をおいた四ヶ所に設けられており、前記本体側面構成部３３の下縁部には、前記底面舌片８１，・・・が差し込まれる横長スリット状の底面舌片差込溝８２，・・・が前記各底面舌片８１，・・・に対応した四ヶ所に形成されている。
【００４７】
これにより、図２に示したように、前記本体側面構成部３３を前記基材３１から分離して丸めるとともに、側部に設けられた前記各本体舌片７１，・・・を対応する前記本体舌片差込溝７２，・・・に差し込むことによって円筒状の前記本体側面１４を形成できるように構成されており、前記底面構成部３４を前記基材３１から分離して前記各底面舌片８１，・・・を前記本体側面構成部３３の前記各底面舌片差込溝８２，・・・に差し込むことによって前記本体側面１４と前記底面１５とで構成された前記屑入れ本体１１を組み立てられるように構成されている。
【００４８】
前記蓋体構成部４１を形成する前記蓋体側面構成部４２は、図１に示したように、前記基材３１に横長形状である長方形状に印刷されており、該蓋体側面構成部４２の外周部には、破線状に切断された切り込み線１０１が周縁に沿って形成されている。これにより、前記蓋体構成部４１を構成する前記蓋体側面構成部４２は、前記切り込み線１０１に沿って容易に切断できるように構成されており、シート状の前記基材３１に切り離し可能に設けられている。
【００４９】
また、前記蓋体構成部４１を構成する前記天面構成部４３は、前記基材３１に円形状の印刷されており、該天面構成部４３の外周部には、破線状に切断された切り込み線１１１が周縁に沿って形成されている。これにより、前記蓋体構成部４１を構成する前記天面構成部４３は、前記切り込み線１１１に沿って容易に切断できるように構成されており、シート状の前記基材３１に切り離し可能に設けられている。
【００５０】
前記蓋体側面構成部４２の図中左側部及び右側部には、側方へ延出する矩形状の蓋体舌片１２１，１２１が設けられており、当該蓋体側面構成部４２の図中左側部及び右側部には、対応する前記蓋体舌片１２１，１２１が差し込まれる縦長スリット状の蓋体舌片差込溝１２２，１２２が形成されている。
【００５１】
また、前記天面構成部４３の周縁には、外側へ延出する矩形状の天面舌片１３１，・・・が等間隔をおいた四ヶ所に設けられており、前記蓋体側面構成部４２の上縁部には、前記天面舌片１３１，・・・が差し込まれる横長スリット状の天面舌片差込溝１３２，・・・が四ヶ所に形成されている。
【００５２】
これにより、図２に示したように、前記蓋体側面構成部４２を前記基材３１から分離して丸めるとともに、側部に設けられた前記各蓋体舌片１２１，１２１を対応する前記蓋体舌片差込溝１２２，１２２に差し込むことによって前記蓋体側面２１を形成できるように構成されており、前記天面構成部４３を前記基材３１から分離して前記各天面舌片１３１，・・・を前記蓋体側面構成部４２の前記各天面舌片差込溝１３２，・・・に差し込むことによって前記蓋体側面２１と前記天面２２とで構成された前記蓋体１３を組み立てられるように構成されている。
【００５３】
そして、図１に示したように、前記屑入れ本体構成部３２の外側面、すなわち前記本体側面構成部３３の外側面には、社名や商品名からなるロゴマーク１５１が印刷されており、組み立てられた前記本体側面１４に前記ロゴマーク１５１を表示できるように構成されている。
【００５４】
また、前記蓋体構成部４１を構成する前記蓋体側面構成部４２及び前記天面構成部４３にも、社名や商品名からなるロゴマーク１６１が印刷されており、組み立てられた前記蓋体１３の前記蓋体側面２１及び前記天面２２に前記ロゴマーク１６１，１６１を表示できるように構成されている。
【００５５】
以上の構成にかかる本実施の形態において、ドライブ等で屑入れ２を使用する際には、シート状の基材３１から屑入れ本体構成部３２を構成する本体側面構成部３３や天面構成部４３を切り離した後に、これらからなる前記屑入れ本体構成部３２を立体形状に組み立てる。これにより、容器状の屑入れ本体１１を形成することができる。
【００５６】
このため、未使用時には、シート状の前記基材３１のまま保管できるため、保管時の省スペース化を図ることができるとともに、ゴミ箱を車内に設置する場合と比較して、未使用時に邪魔になるといった問題を解消することができる。
【００５７】
一方、使用時には、前記基材３１から切り離した前記屑入れ本体構成部３２を立体形状に組み立てることによって、容器状の屑入れ本体１１が形成されるため、この屑入れ本体１１に、ゴミを収容することができる。
【００５８】
このため、灰皿にゴミを収容していた従来と比較して、灰皿の使用が可能となり、利便性が向上する。
【００５９】
そして、前記屑入れ本体１１にゴミが貯まった際には、当該屑入れ本体１１をゴミと共に廃棄することもできる。
【００６０】
このため、灰皿やゴミ箱にゴミを収容する場合のように、灰皿やゴミ箱のゴミを、サービスエリア等に設置されたゴミ入れまで持って行って捨てた後、前記灰皿やゴミ箱を車内に持ち帰らなければならなかった従来と比較して、利便性が向上する。
【００６１】
また、前記屑入れ本体構成部３２は、前記屑入れ本体１１の本体側面１４を形成する長方形状の本体側面構成部３３と、前記屑入れ本体１１の底面１５を形成する円形状の底面構成部３４とで構成されており、前記本体側面構成部３３の一側部には、本体舌片７１，・・・が設けられるとともに、当該本体側面構成部３３の他側部には、本体舌片差込溝７２，・・・が形成されている。また、前記底面構成部３４の周縁には、底面舌片８１，・・・が設けられており、前記本体側面構成部３３の下縁部には、底面舌片差込溝８２，・・・が形成されている。
【００６２】
このため、長方形状の前記本体側面構成部３３を丸めて、その一側部に設けられた前記本体舌片７１，・・・を他側部の前記本体舌片差込溝７２，・・・に差し込むことによって円筒状の本体側面１４を形成することができる。また、円形状に形成された前記底面構成部３４の底面舌片８１，・・・を、前記本体側面構成部３３の下縁部に設けられた底面舌片差込溝８２，・・・に差し込むことによって、円筒状に形成された前記本体側面１４に底面１５を形成することがで、有底円筒状の屑入れ本体１１を形成することができる。
【００６３】
このように、前記本体側面構成部３３を丸めて前記前記底面構成部３４を取り付けるだけで、円筒容器状の屑入れ本体１１を形成することができるため、屑入れ本体構成部の複数箇所を折り曲げ接合して矩形状の屑入れ本体を形成する場合と比較して、屑入れ本体１１の組立作業を容易に行うことができる。
【００６４】
このとき、組み立てられた屑入れ本体１１の直径寸法は、車両に設けられているカップホルダーに収まるサイズに設定されている。このため、このカップホルダーに保持した状態で使用することができ、不用意な転倒によるゴミの撒き散らしを確実に防止することができる。
【００６５】
また、前記基材３１には、前記屑入れ本体１１の上部開口部１２を閉鎖する為の蓋体１３を構成する蓋体構成部４１が切り離し可能に設けられており、組み立てられた前記屑入れ本体１１の前記上部開口部１２を、前記蓋体構成部４１で形成された前記蓋体１３によって開放可能に閉鎖することができ、内部のゴミを隠すことができる。
【００６６】
これにより、前記屑入れ本体１１に収容されたゴミの露出を防止することができ、見た目を綺麗に保つことができる。
【００６７】
そして、前記蓋体構成部４１は、前記蓋体１３の蓋体側面２１を形成する長方形状の蓋体側面構成部４２と、前記蓋体１３の天面２２を形成する円形状の天面構成部４３とで構成されており、前記蓋体側面構成部４２の側部からは蓋体舌片１２１，１２１が延出するとともに、当該蓋体側面構成部４２の側部には蓋体舌片差込溝１２２，１２２が形成されている。また、前記天面構成部４３の周縁には、天面舌片１３１，・・・が設けられており、前記蓋体側面構成部４２の上縁部には、天面舌片差込溝１３２が形成されている。
【００６８】
このため、前記蓋体側面構成部４２を丸めて、その側部より延出した前記蓋体舌片１２１，１２１を、側部に設けられた前記蓋体舌片差込溝１２２，１２２に差し込むことによって、円筒状の蓋体側面２１を形成することができる。また、円形状に形成された前記天面構成部４３の前記天面舌片１３１，・・・を、前記蓋体側面構成部４２の上縁部に形成された前記天面舌片差込溝１３２，・・・に差し込むことによって、前記天面２２を備えた蓋体１３を形成することができる。
【００６９】
このように、前記蓋体側面構成部４２を丸めて前記天面構成部４３を取り付けることによって、天面２２を備えた蓋体１３を形成することができるため、蓋体構成部の複数箇所を折り曲げ接合して矩形容器状の蓋体を形成する場合と比較して、組立作業を容易に行うことができる。
【００７０】
そして、組み立てられた前記蓋体１３は、円筒状の蓋体側面２１を備えるため、当該蓋体１３を前記屑入れ本体１１の上縁部に嵌着することができる。これにより、前記屑入れ本体１１の前記上部開口部１２を確実に閉鎖することができる。
【００７１】
そして、前記屑入れ本体構成部３２、具体的には前記本体側面構成部３３及び前記蓋体側面構成部４２並びに前記天面構成部４３の外側面には、ロゴマーク１５１，１６１，１６１が設けられているので、組み立てられた屑入れ本体１１及び蓋体１３の外側面に、前記ロゴマーク１５１，１６１，１６１を表示することができる。
【００７２】
このため、前記ロゴマーク１５１，１６１，１６１を、会社名や商品名とすることによって、当該屑入れ組立シート１を販促品として利用することができる。
【００７３】
なお、本実施の形態では、組み立てられる屑入れ本体１１が有底円筒状のものを例に挙げて説明したが、これに限定されるものではない。
【００７４】
例えば、前記本体側面構成部材３３を横長の扇形状に設定し、該本体側面構成部材３３を丸めることによって、図３に示すように、上端部が広がった円錐形状の屑入れ本体１１を形成することができる。
【００７５】
この屑入れ本体１１において、底部での直径寸法を、車両に設けられているカップホルダーに収まるサイズに設定しておけば、このカップホルダーに保持した状態で使用でき、かつゴミが投入される上部開口部１２を広げることができる。これにより、利便性のさらなる向上を図ることができる。
【００７６】
また、本実施の形態にあっては、屑入れ本体１１を形成する為の屑入れ本体構成部３２を前記本体側面構成部３３と前記底面構成部３４とによって有底円筒状に形成した場合に付いて説明したが、これに限定されるものではない。
【００７７】
例えば、複数の矩形形状の一辺を互いに接続してなる屑入れ本体構成部を前記基材３１に切り離し可能に設け、この屑入れ本体構成部を接続辺で折り曲げて他辺を接合することによって、矩形容器状の屑入れ本体を形成することもできる。
【図面の簡単な説明】
【００７８】
【図１】本考案の一実施の形態を示す平面図である。
【図２】同実施の形態の組立状態を示す斜視図である。
【図３】本考案の他の実施の形態を示す斜視図である。
【符号の説明】
【００７９】
１    屑入れ組立シート
２    屑入れ
１１    屑入れ本体
１３    蓋体
１４    本体側面
１５    底面
２１    蓋体側面
２２    天面
３１    基材
３２    屑入れ本体構成部
３３    本体側面構成部
３４    底面構成部材
４１    蓋体構成部
４２    蓋体側面構成部
４３    天面構成部
７１    本体舌片
７２    本体舌片差込部
８１    底面舌片
８２    底面舌片差込部
１２１    蓋体舌片
１２２    蓋体舌片差込部
１３１    天面舌片
１３２    底面舌片差込部
１５１    ロゴマーク
【図１】
0003147028.tif 000003
【図２】
0003147028.tif 000004
【図３】
0003147028.tif 000005